(57)【要約】【課題】空港において航空機の経路の追跡の新規な可能性の使用を実現することにより、航空機の制動の管理を改善する。【解決手段】本発明は、空港における地上走行において航空機（１）の制動の管理方法に係わり、この方法は、空港において航空機が進行する、少なくとも１つの与えられた経路（３，４）に沿う航空機の動きのシークエンスに関する特徴に基づいて、航空機は実際に、動きの該シークエンスの適用において進行するように実行される、制動（Ｆ1，Ｆ2，・・・）に関する情報を推定する手順を具備する。【選択図】図１
2007246079.tif 000002
【特許請求の範囲】
【請求項１】
空港における地上走行における航空機（１）の制動の管理方法において、この方法は、
前記空港において前記航空機が進行する、少なくとも１つの与えられた経路（３，４）に沿う前記航空機の動きのシークエンスに関する特徴に基づいて、前記航空機が実際に、動きの該シークエンスの適用において進行するように実行される、制動（Ｆ1，Ｆ2，・・・）に関する情報を推定する手順を、具備することを特徴とする方法。
【請求項２】
前記動きのシークエンスの前記特徴から推定される前記制動に関する情報は、実行されるべき制動オペレーションの数と、制動期間と、各制動オペレーションにおいて消費されるエネルギと、２つの連続する制動オペレーション間の間隔との内の少なくとも１つの項目を具備することを特徴とする請求項１に記載の方法。
【請求項３】
進行される前記経路（３，４）は、前もって決められた経路のリストから選択されることを特徴とする請求項１に記載の方法。
【請求項４】
与えられた経路に関する前記動きのシークエンスの特徴は、前記空港における航空機の動きに関する統計的なデータから推定されることを特徴とする請求項３に記載の方法。
【請求項５】
進行される経路又は該経路に沿って実行される前記動きのシークエンスは、空港の交通量に関する情報の関数としてリアルタイムで修正されることを特徴とする請求項１に記載の方法。
【請求項６】
前記制動に関する情報は、前記航空機のオペレーション条件を最適化するために使用されることを特徴とする請求項１に記載の方法。
【請求項７】
前記制動オペレーションは、前記ブレーキに組み込まれた摩擦要素の磨耗を最小にするために使用されることを特徴とする請求項６に記載の方法。
【請求項８】
与えられた経路に関して、動きのシークエンスは、前記各ブレーキの前記摩擦要素が、前記経路に沿って最大温度より低く留まる、温度を示すように決定されることを特徴とする請求項６に記載の方法。
【請求項９】
前記航空機の前記ブレーキ間の制動の分配は、前記各ブレーキが前記経路に沿って最大温度より下に留まる、温度を示すように決定されることを特徴とする請求項６に記載の方法。
【発明の詳細な説明】
【技術分野】
【０００１】
本発明は、空港でのその動きを減少させることにより、航空機の制動（ブレーキ作動）を管理する方法に関する。
【背景技術】
【０００２】
近年、空港において航空機が通る経路を正確に追跡するための手段が適用可能になってきた。これらの手段は特には、例えば、ある航空機と別の航空機との衝突のリスク、又は任意の別の静止した又は運動する障害物との衝突のリスクの低減のために使用される。
【０００３】
経路の追跡は、空港における航空機の動きについて正確な知識を提供し、特には、その様な経路に沿って航空機により実施される動きのシーケンス（手順）を提供する（時間の関数として、位置、速度及び加速度の項目において）。
【発明の開示】
【発明が解決しようとする課題】
【０００４】
本発明は、空港において航空機の経路の追跡の新規な可能性の使用を実現することにより、航空機の制動（ブレーキ作動）の管理を改善することを目的とする。
【課題を解決するための手段】
【０００５】
この目的を実現するために、本発明は、空港における地上走行において航空機の制動の管理方法を提供しており、この方法は、空港において航空機が進行する、少なくとも１つの与えられた経路に沿う航空機の動きのシークエンス（手順）に関する特徴に基づいて、航空機は実際に、動きの該シークエンスの適用において進行するように実行される、制動に関する情報を推定する手順を具備する。
【０００６】
従って、航空機が進行する別の経路及びその経路に沿う航空機の動きのシークエンスを予測することにより、動きの慣性の特徴（位置、速度、加速度）が推定可能であり、それにより将来の制動（ブレーキ作動）オペレーションに関する情報を決定可能にし、従って制動オペレーションが実行されるであろう、状況を予測する。
【０００７】
本発明に従って制動に関する情報を決定することにより、種々の可能性が適用可能にされる。
【０００８】
例えば、制動に関する情報は、熱モデルの補助により、どのように、摩擦要素の温度が変化するかを予測可能にするので、従って、ブレーキ性能の数値モデルをより良好に目盛り付けすることを可能にするか、又は一旦航空機が終点又は滑走路の出発点において停止した場合に、ブレーキが冷却するのに必要である、時間の長さを実際に予測することを可能にする。
【０００９】
その様な予測はまた、ブレーキの使用の観点から、複数の可能性のある経路をお互いに比較することを可能にするので、例えば、ブレーキの使用を最も少なくする経路を選定すること、又は与えられた経路に沿うブレーキの適用を最適にすることを可能にする。その様な予測はまた、ブレーキ使用に関する条件に基づいて、単一経路に沿う動きの複数のシークエンスをお互いに比較可能にする。
【００１０】
本発明は、添付図面を参照して、下記の説明によりより明確に理解可能である。
【発明を実施するための最良の形態】
【００１１】
図１を参照すると、空港２に着陸した航空機１は、複数の経路を辿るように該空港において地上走行しても良い。
【００１２】
図面は、細い点線の第１の経路３を示しており、第１の経路３は、滑走路の出発点から出発して、空港制御部が航空機を送ることを目指す、終点で終了する。
【００１３】
航空機１のブレーキ（制動）コンピュータは、例えば、空港司令塔により提示されるようなこの経路の知識に基づいてプログラムされて、経路に沿う航空機の動きのシークエンス（手順）を見積もっており、即ち、経路を追跡するために、航空機の位置及び速度がどのように、時間と共に変化するかを見積もる。この動きのシークエンスは、空港における最大地上走行速度、必要な停止地点等の種々の条件に対応するように、あるいは着陸した瞬間と終点に到着した瞬間との間の実際の最大移動時間に対応するように、更に重量、着陸速度等の航空機に特有の種々のパラメータの関数として決定される。
【００１４】
従って、例えば、ここで図示される第１の経路３に沿って、動きのシークエンスの見積もりは、下記のように実施される。航空機１は最初に、滑走路１０上にあり、そこでは、着陸速度から地上走行速度へ航空機の速度を低下させるために、中程度の強さで長期間の制動（ブレーキ作動）が、実施される。その後、航空機１は、斜めの地上走行路１１を介して滑走路を離れる。
【００１５】
その後、航空機は、滑走路１０に平行な主要地上走行路１２を走行する。前記地上走行路１２の終点で、パイロットは、航空機１を制動し、航空機操舵制御を使用して、９０度右にゆっくり旋回する。最終的に、航空機は、歩行速度で終点１４に到着し、パイロットは、終点近くに航空機を停止させる。
【００１６】
図２は、経路３の第１の部分に沿う動きの上記のシークエンスに相当する制動（ブレーキ作動）オペレーション（運転）のシークエンスＦ１〜Ｆ５を示しており、制動シークエンスは、時間軸において長方形により表示される。各長方形の高さは、各制動オペレーションの強さに対応しており、その一方で各長方形の長さは、制動期間に対応する。各制動オペレーションにより消費されるエネルギは、各長方形の面積に対応しており、この場合、全体の消費エネルギは、長方形の全体の面積の合計に等しい。
【００１７】
その後、その間にブレーキが冷却される、所定の長さの停止時間ΔＴの間の休止後に、航空機は、航空機が滑走路の出発点に到達することを可能にする、第１の経路の第２の部分に沿って再度移動し始める。上記で説明したように、航空機１は、経路のこの第２の部分に沿う動きのそのシークエンスの位置及び速度に対応するために、所定の数の制動オペレーションを実施することが必要である。
【００１８】
図２において、経路３の第２の部分に対応する制動シークエンスＦ６〜Ｆ１０が示される。
【００１９】
経路３の全体にわたる見積もられた制動シークエンスは、本例において、下記のデータを決定することを含む。
・実施される制動オペレーションの数
・制動期間
・各制動オペレーションにおいて消費されるエネルギ
・２つの連続的な制動オペレーション間の間隔
【００２０】
この見積もりは、空港のトポロジー（地勢学）、特には、上り坂と下り坂の傾斜面、更に要求される時間、停止又は速度等の、空港において航空機が地上走行することにおける制約条件の全てを考慮することが好ましい。
【００２１】
上記データを使用する特定の実行において、見積もりは、もし航空機が実際に、動きの意図されたシークエンスで第１の経路３を進んだとすると、各ブレーキが到達するであろう、温度について実施される。
【００２２】
温度の変化する様子は、航空機のブレーキ（制動）コンピュータに組み込まれた熱モデルを実行することにより得られ、それ（熱モデル）は、種々の事前に見積もられた制動（ブレーキ作動）オペレーションを考慮する。これらのオペレーションの各々は、エネルギを消費させ、それによりブレーキの摩擦要素の加熱に寄与する。ブレーキの温度は従って、この加熱により更には（熱）伝達による自然冷却により変化しがちである。
【００２３】
熱モデルは、特には、各ブレーキの摩擦要素の磨耗状態、従って該摩擦要素の厚みが与えられると、各ブレーキの温度が変化する様子を予測するように作用する。
【００２４】
第１の経路３に関して、長方形の形の図２に示される制動オペレーションは、ブレーキ温度における予測可能な変化をプロット（作図）することを可能にする（唯一のブレーキの温度Ｔが、より明確にするためにここでは示される）。この例において、問題のブレーキの温度Ｔは限界温度Ｔmaxより下に留まることが分かる。
【００２５】
例として、Ｔmaxは、それより高いと航空機が離陸することが認可されない限界温度である。ここでは、温度Ｔmaxには到達しないので、航空機は、滑走路の出発点に到着後、直ちに離陸可能である。
【００２６】
従って、空港において航空機の転回移動（ｔｕｒｎａｒｏｕｎｄ）時間は、もし航空機が第１の経路３を進むならば、ブレーキの冷却に関する要求により引き延ばされないことが、本発明の方法により事前に確認される。
【００２７】
温度Ｔmaxはまた、それ以上で摩擦要素が高い速度で磨耗する状態に晒される、閾値Ｔ1を意味しても良いので、摩擦要素を保護するために、限界温度Ｔmaxへの到達を回避することが好ましい。
【００２８】
従って、摩擦要素が、唯普通の磨耗を生じる温度範囲以内に留まり、それにより摩擦要素の寿命を引き延ばすことに寄与することが、本発明の方法により事前に確認される。
【００２９】
ここで、図１に示される第２の経路４を参照すると、第１の経路３と同じ滑走路の出発点から開始して、同じ終点で終了するので、航空機のブレーキコンピュータは、航空機に関する動きのシークエンスを見積もり、図３に示される制動（ブレーキ作動）シークエンスをそれから推定する。第２の経路２において、航空機は、第１の経路３によるものと比べて、滑走路１０においてより厳しく制動するので、航空機が、斜めの地上走行路１１から上流の斜めの地上走行路１５を経由してより早く滑走路を離れることを可能にする。
【００３０】
ブレーキシークエンスＦ1’．．．Ｆ11’が一旦決定されると、ブレーキコンピュータはそれから、どのようにブレーキ温度が変化するかを推定する（唯１つの温度Ｔ’がここではプロット（作図）される）。今度は、関係するブレーキの温度Ｔ’が２つの場合において温度Ｔmaxを超えることが分かる。
【００３１】
第２の超過は、航空機が離陸を認可可能になる前に、航空機に、問題のブレーキの温度が限界温度より下に降下するのに十分長い、時間間隔ΔＴ’の間待機することを要求し、それにより空港における航空機の転回移動時間を増大する。
【００３２】
第１の超過時間は、それ自体において、任意の待機時間を発生させないが、しかしそれは、ブレーキの摩擦要素を、それらが速く磨耗しやすくし且つ所望されない、温度範囲で作動する状態に導く。
【００３３】
もしパイロットがオプション（選択権）を有するならば、第２の経路４の代わりに第１の経路３を選択することを直ちに可能にし、それによりパイロットが、空港における転回移動時間を最も短くすることを可能にし、その一方でやはり、ブレーキの摩擦要素を保護する。
【００３４】
本発明の特定の形態に従い、ブレーキコンピュータにより使用される熱モデルは、限界温度Ｔmaxがたぶん超過されることが検知される、第２の経路４等の経路の場合において、シミレーション（模擬）がブレーキに強制的冷却を適用する効果に関して実施されるような状態で、設計されることが好ましい。強制的冷却は、航空機のブレーキに従来の状態で取り付けられる、冷却ファンを作動させることにより実施されるが、その場合、ファンの作動は、パイロットによるか又は直接的にブレーキコンピュータにより制御される。
【００３５】
ブレーキの温度に関する強制冷却の効果は、太い破線曲線により図３に示される。この例において、強制的冷却は、温度曲線を限界温度Ｔmaxより低く戻すことを可能にするので、パイロットは今度は、ブレーキの摩擦要素の大きな磨耗に悩むことなく、必要な待機時間の範囲内で第２の経路４を進むオプションを有する。
【００３６】
本発明のこれとは別の特定の形態に従い、限界温度Ｔmaxが超過されることがありそうであると検知される、第２の経路４のような経路場合において、制動オペレーションの新規なシークエンスを導入することにより、検討中の経路に沿う動きの新規なシークエンスを生成するように、ブレーキコンピュータはプログラムされる。図４に示されるように、動きの新規なシークエンスは、航空機が滑走路１０を素早く離れることを可能にする初期の制動を維持するが、しかしそれは、航空機がより高い速度で地上走行することを可能にするので、中間の制動オペレーションはそれほど厳しくない。停止前の最後の制動オペレーション（終点において又は滑走路の出発点においてのいずれか）だけは、幾分より厳しい。ブレーキ力のこの新規な配分は、ブレーキの温度Ｔ”を限界温度Ｔmaxより低く保持可能にすることが分かる。
【００３７】
本発明の更に別の特定の形態に従い、限界温度Ｔmaxが超過されることがありそうであると検知される、第２の経路４等の経路の場合において、航空機のブレーキ間における制動オペレーションに関する複数の分布を模擬し、全てのブレーキの温度が最大温度Ｔmaxより低く留まることを可能にする、配分を保持する一方で、経路に沿う動きのシークエンスの要求に当然に応じるように、ブレーキコンピュータはプログラムされる。
【００３８】
従って、本発明に従う予測する制動オペレーションにより、ブレーキコンピュータは、経路を選択するため又は与えられた経路のために、複数の戦略を吟味することを可能にし、それは、経路に沿う動きの特定のシークエンスが選択されることを可能にして、ブレーキの摩擦要素の速い磨耗に導く、温度に達することを回避するか、さもなければ離陸前に滑走路の出発点で待機する任意の必要性を回避する。
【００３９】
経路は、予め決定されて、データベースに組み込まれても良い。空港における１つの地点から別の地点への全ての可能な経路をリストアップ（表化）することか、あるいはそれらが、空港における航空機の動きの記録を使用して統計的に確立されることのいずれかにより、経路は決定されており、記録は、本明細書の導入部で記載された追跡手段により獲得される。
【００４０】
その様な状況下で、各経路に沿う動きのシークエンスもまた、例えば統計的に事前決定可能であるので、航空機の重量及びブレーキの磨耗状況の知識を与えれば、制動及び摩擦要素の温度変動の予測は、容易に実施可能である。
【００４１】
経路はまた、空港における交通量の関数としてリアルタイム（実時間）で確立可能である。ブレーキコンピュータはその後、経路に対する変更又は経路に沿う動きのシークエンスに対する変更の関数として、制動（ブレーキ）予測を最新化するように形成される。例として、空港制御部は、予測なしの停止を要求しても良く、それにより考慮されることが必要な追加の制動を要求する。
【００４２】
本発明は、上記の記載に限定されないが、反対に、請求項により規定される範囲内にある任意の変形形態をカバーする。
【００４３】
特には、本発明の方法は、航空機のブレーキコンピュータにより実施されると記載されるが、本発明の方法が、例えば、空港管制塔に設置される、空港交通制御コンピュータにおいて実施可能である。本発明の方法は、空港に存在する全ての航空機に関して同時に実施可能であり、従って、空港にある全ての航空機に関して同時に制動（ブレーキ）条件を最適化することを可能にする。変形形態において、経路及びこれらの経路に沿う動きのシークエンスは、空港交通制御コンピュータにより決定可能である一方で、航空機ブレーキコンピュータは単独で、制動オペレーションを予測するように稼働し、経路及び動きのシークエンスは、交通制御コンピュータにより強制される。その様な状況下で、ブレーキコンピュータは、航空機の種々のブレーキ間のブレーキ力を分配するように形成されて、ブレーキの摩擦要素の温度が出来る限り長い期間で、摩擦要素が加速度的状態で磨耗する温度範囲の外側に留まることを確保することが好ましい。
【００４４】
更に、制動（ブレーキ作動）に関する情報が、ブレーキの摩擦要素の磨耗又は空港における航空機の転回移動時間等の条件を最適化するために使用されると記載されるが、情報はまた、例えば、搭乗者をより良好な居心地にするために、ブレーキを作動させる回数を制限することのため、あるいは着陸歯車又は航空機の構造への疲労応力を制限するための、別の条件を最適化するために使用可能である。
【図面の簡単な説明】
【００４５】
【図１】図１は、空港における航空機のための２つの可能な経路を示す、空港の簡略図である。
【図２】図２は、航空機が第１の経路を進んだ場合の航空機のブレーキの平均温度及び制動（ブレーキ作動）を示す、時間の関数としてグラフである。
【図３】図３は、図２のグラフと同様なグラフであるが、第２の経路に関するグラフである。
【図４】図４は、第２の経路に沿う動きの変形シークエンスに関する図２のグラフと同様なグラフである。
【符号の説明】
【００４６】
１    航空機
２    空港
３    第１の経路
４    第２の経路
１０    滑走路
１１    斜めの地上走行路
１２    主要地上走行路
１４    終点
１５    斜めの地上走行路
【図１】
2007246079.tif 000003
【図２】
2007246079.tif 000004
【図３】
2007246079.tif 000005
【図４】
2007246079.tif 000006